(57)【要約】      （修正有）【課題】優れた電力効率を実現する端末装置を提供する。【解決手段】端末装置は、送信シンボルを定振幅の複数の要素シンボルに分割して、それぞれを異なるリソースにマッピングして通信を行う定振幅モードを有する。上位層処理部１０１にて定振幅モードが設定されていると判断した場合、受信部１０４は複数の要素シンボルから元のシンボルを再生する。【選択図】図３
2018101819.tif 000002
【特許請求の範囲】
【請求項１】
送信シンボルを定振幅の複数の要素シンボルに分割して、それぞれを異なるリソースにマッピングして通信を行うモードである定振幅モードが設定されていることを判断する上位層処理部と、
前記上位層処理部で前記定振幅モードが設定されていることを判断した場合、前記複数の要素シンボルから前記送信シンボルを再生する受信部と、
を備える端末装置。
【請求項２】
前記複数の要素シンボルがマッピングされた前記異なるリソースの情報を下りリンク制御情報から取得する請求項１に記載の端末装置。
【請求項３】
前記異なるリソースは、異なる時間スロットである請求項１又は２に記載の端末装置。
【請求項４】
前記異なるリソースは、異なる周波数スロットである請求項１又は２に記載の端末装置。
【請求項５】
前記異なるリソースは、異なるアンテナである請求項１又は２に記載の端末装置。
【請求項６】
前記受信部が再生する前記送信シンボルは、直交周波数分割多重（OFDM）のシンボルである請求項１から５のいずれかに記載の端末装置。
【請求項７】
送信シンボルを定振幅の複数の要素シンボルに分割して、それぞれを異なるリソースにマッピングして通信を行うモードである定振幅モードを設定する上位層処理部と、
前記上位層処理部で前記定振幅モードが設定されている場合、前記複数の要素シンボルを送信する送信部と、
を備える基地局装置。
【請求項８】
前記異なるリソースの情報を含んだ下りリンク制御信号を送信する請求項７に記載の基地局装置。
【請求項９】
前記異なるリソースは、異なる時間スロットである請求項７又は８に記載の基地局装置。
【請求項１０】
前記異なるリソースは、異なる周波数スロットである請求項７又は８に記載の基地局装置。
【請求項１１】
前記異なるリソースは、異なるアンテナである請求項７又は８に記載の基地局装置。
【請求項１２】
前記送信部が分割する前記送信シンボルは、直交周波数分割多重（OFDM）のシンボルである請求項７から１１のいずれかに記載の基地局装置。
【請求項１３】
送信シンボルを定振幅の複数の要素シンボルに分割して、それぞれを異なるリソースにマッピングして通信を行うモードである定振幅モードが設定されていることを判断する上位層処理部と、
前記上位層処理部で前記定振幅モードが設定されていることを判断した場合、前記複数の要素シンボルを送信する送信部と、
を備える端末装置。
【請求項１４】
前記異なるリソースの情報を下りリンク制御信号から取得する請求項１３に記載の端末装置。
【請求項１５】
前記異なるリソースは、異なる時間スロットである請求項１３又は１４に記載の基地局装置。
【請求項１６】
前記異なるリソースは、異なる周波数スロットである請求項１３又は１４に記載の基地局装置。
【請求項１７】
前記異なるリソースは、異なるアンテナである請求項１３又は１４に記載の基地局装置。
【請求項１８】
前記送信部が分割する前記送信シンボルは、シングルキャリア周波数分割多元接続（SC-FDMA）のシンボルである請求項１３から１７のいずれかに記載の基地局装置。
【請求項１９】
送信シンボルを定振幅の複数の要素シンボルに分割して、それぞれを異なるリソースにマッピングして通信を行うモードである定振幅モードを設定する上位層処理部と、
前記上位層処理部で前記定振幅モードが設定されている場合、前記複数の要素シンボルから前記送信シンボルを再生する受信部と、
を備える基地局装置。
【請求項２０】
前記異なるリソースの情報を含んだ下りリンク制御信号を送信する請求項１９に記載の基地局装置。
【請求項２１】
前記異なるリソースは、異なる時間スロットである請求項１９又は２０に記載の端末装置。
【請求項２２】
前記異なるリソースは、異なる周波数スロットである請求項１９又は２０に記載の端末装置。
【請求項２３】
前記異なるリソースは、異なるアンテナである請求項１９又は２０に記載の端末装置。
【請求項２４】
前記受信部が再生する前記送信シンボルは、シングルキャリア周波数分割多元接続（SC-FDMA）のシンボルである請求項１９から２３のいずれかに記載の端末装置。
【請求項２５】
端末装置における通信方法であって、
送信シンボルを定振幅の複数の要素シンボルに分割して、それぞれを異なるリソースにマッピングして通信を行うモードである定振幅モードが設定されていることを判断する上位層処理過程と、
前記上位層処理過程で前記定振幅モードが設定されていることを判断した場合、前記複数の要素シンボルから前記送信シンボルを再生する受信過程と、
を備える通信方法。
【発明の詳細な説明】
【技術分野】
【０００１】
本発明は、端末装置、基地局装置、および通信方法に関する。
【背景技術】
【０００２】
近年、センサーネットワークのような、非常に多くの端末を収容することが注目されている。センサーネットワーク用の端末は低消費電力であることが求められる。３ＧＰＰ（3rd Generation Partnership Project）によるＬＴＥ（Long Term Evolution）、ＬＴＥ−Ａ（LTE-Advanced）のダウンリンクではＯＦＤＭ（直交周波数分割多重；Orthogonal Frequency Division Multiplexing）を用いた通信が行われている（非特許文献１）。ＯＦＤＭは、複数のサブキャリアに送信シンボルを配置することで柔軟なリソース割り当てが可能となる。また、ＯＦＤＭでは、各サブキャリアの送信シンボルを狭帯域化できるため、シンボル間干渉に強い耐性がある。
【先行技術文献】
【非特許文献】
【０００３】
【非特許文献１】３ＧＰＰ  ＴＳ  ３６．３００  Ｖ１２．２．０、“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ  １２）、”  ２０１４年  ６月。
【発明の概要】
【発明が解決しようとする課題】
【０００４】
しかしながら、非特許文献１に記載の方法では、時間領域のＯＦＤＭシンボルの波形のＰＡＰＲ（Peak to Average Power Ratio）が大きくなり、電力効率が低下するという問題がある。
【０００５】
本発明はこのような事情を鑑みてなされたものであり、その目的は、より優れた電力効率の通信が可能な端末装置、基地局装置、および通信方法を提供することにある。
【課題を解決するための手段】
【０００６】
上述した課題を解決するために本発明に係る端末装置、基地局装置、および通信方法の構成は、次の通りである。
【０００７】
本発明の一態様による端末装置は、送信シンボルを定振幅の複数の要素シンボルに分割して、それぞれを異なるリソースにマッピングして通信を行うモードである定振幅モードが設定されていることを判断する上位層処理部と、前記上位層処理部で前記定振幅モードが設定されていることを判断した場合、前記複数の要素シンボルから前記送信シンボルを再生する受信部と、を備える。
【０００８】
また、本発明の端末装置において、前記複数の要素シンボルがマッピングされた前記異なるリソースの情報を下りリンク制御情報から取得する。
【０００９】
また、本発明の端末装置において、前記異なるリソースは、異なる時間スロットである。
【００１０】
また、本発明の端末装置において、前記異なるリソースは、異なる周波数スロットである。
【００１１】
また、本発明の端末装置において、前記異なるリソースは、異なるアンテナである。
【００１２】
また、本発明の端末装置において、前記受信部が再生する前記送信シンボルは、直交周波数分割多重（OFDM）のシンボルである。
【００１３】
本発明の一態様による基地局装置は、送信シンボルを定振幅の複数の要素シンボルに分割して、それぞれを異なるリソースにマッピングして通信を行うモードである定振幅モードを設定する上位層処理部と、前記上位層処理部で前記定振幅モードが設定されている場合、前記複数の要素シンボルを送信する送信部と、を備える。
【００１４】
また、本発明の基地局装置において、前記異なるリソースの情報を含んだ下りリンク制御信号を送信する。
【００１５】
また、本発明の基地局装置において、前記異なるリソースは、異なる時間スロットである。
【００１６】
また、本発明の基地局装置において、前記異なるリソースは、異なる周波数スロットである。
【００１７】
また、本発明の基地局装置において、前記異なるリソースは、異なるアンテナである。
【００１８】
また、本発明の基地局装置において、前記送信部が分割する前記送信シンボルは、直交周波数分割多重（OFDM）のシンボルである。
【００１９】
本発明の一態様による端末装置は、送信シンボルを定振幅の複数の要素シンボルに分割して、それぞれを異なるリソースにマッピングして通信を行うモードである定振幅モードが設定されていることを判断する上位層処理部と、前記上位層処理部で前記定振幅モードが設定されていることを判断した場合、前記複数の要素シンボルを送信する送信部と、を備える。
【００２０】
また、本発明の端末装置において、前記異なるリソースの情報を下りリンク制御信号から取得する。
【００２１】
また、本発明の端末装置において、前記異なるリソースは、異なる時間スロットである。
【００２２】
また、本発明の端末装置において、前記異なるリソースは、異なる周波数スロットである。
【００２３】
また、本発明の端末装置において、前記異なるリソースは、異なるアンテナである。
【００２４】
また、本発明の端末装置において、前記送信部が分割する前記送信シンボルは、シングルキャリア周波数分割多元接続（SC-FDMA）のシンボルである。
【００２５】
本発明の一態様による基地局装置は、送信シンボルを定振幅の複数の要素シンボルに分割して、それぞれを異なるリソースにマッピングして通信を行うモードである定振幅モードを設定する上位層処理部と、前記上位層処理部で前記定振幅モードが設定されている場合、前記複数の要素シンボルから前記送信シンボルを再生する受信部と、を備える。
【００２６】
本発明の基地局装置において、前記異なるリソースの情報を含んだ下りリンク制御信号を送信する。
【００２７】
本発明の基地局装置において、前記異なるリソースは、異なる時間スロットである。
【００２８】
本発明の基地局装置において、前記異なるリソースは、異なる周波数スロットである。
【００２９】
本発明の基地局装置において、前記異なるリソースは、異なるアンテナである。
【００３０】
本発明の基地局装置において、前記受信部が再生する前記送信シンボルは、シングルキャリア周波数分割多元接続（SC-FDMA）のシンボルである。
【００３１】
本発明の一態様による通信方法は、端末装置における通信方法であって、送信シンボルを定振幅の複数の要素シンボルに分割して、それぞれを異なるリソースにマッピングして通信を行うモードである定振幅モードが設定されていることを判断する上位層処理過程と、前記上位層処理部で前記定振幅モードが設定されていることを判断した場合、前記複数の要素シンボルから前記送信シンボルを再生する受信過程と、を備える。
【発明の効果】
【００３２】
本発明によれば、端末装置は、優れた電力効率を実現することができる。
【図面の簡単な説明】
【００３３】
【図１】本実施形態に係る通信システムの例を示す図である
【図２】ＯＦＤＭシンボルのあるサンプル点を２つの要素サンプルに分割する例を示すＩＱ平面図である。
【図３】本実施形態における基地局装置の構成を示す概略ブロック図である。
【図４】無線送信部１０３５の構成を示す概略ブロック図である。
【図５】無線受信部１０４１の構成を示す概略ブロック図である。
【図６】本実施形態における端末装置の構成を示す概略ブロック図である。
【図７】無線受信部２０４１の構成を示す概略ブロック図である。
【図８】無線送信部２０３５の構成を示す概略ブロック図である。
【発明を実施するための形態】
【００３４】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００３５】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３６】
図１は、本実施形態に係る通信システムの例を示す図である。図１に示すように、本実施形態における通信システムは、基地局装置１、端末装置２を備える。また、カバレッジ１−１は、基地局装置１が端末装置と接続可能な範囲（通信エリア）である。
【００３７】
図１において、端末装置２から基地局装置１への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３８】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００３９】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。
【００４０】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００４１】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００４２】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００４３】
ＰＲＡＣＨは、ランダムアクセスプリアンブルを送信するために用いられる。
【００４４】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４５】
ＤＭＲＳは、ＰＵＳＣＨまたはＰＵＣＣＨの送信に関連する。例えば、基地局装置１は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１は、上りリンクのチャネル状態を測定するためにＳＲＳを使用する。
【００４６】
図１において、基地局装置１から端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００４７】
ＰＢＣＨは、端末装置２で用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭ（直交周波数分割多重；Orthogonal Frequency Division Multiplexing）シンボルの数）を指示する情報を送信するために用いられる。
【００４８】
ＰＨＩＣＨは、基地局装置１が受信した上りリンクデータに対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。
【００４９】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００５０】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００５１】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５２】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５３】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５４】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００５５】
また、上りリンクに対するＤＣＩフォーマットは、端末装置が基地局装置にフィードバックするチャネル状態情報報告(CSI feedback report, CSI reporting)をマップする上りリンクリソースを示す設定のために用いることができる。例えば、チャネル状態情報報告は、定期的（周期的）にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５６】
例えば、チャネル状態情報報告は、不定期（非周期的）なチャネル状態情報（Aperiodic CSI）を報告する上りリンクリソースを示す設定のために用いることができる。チャネル状態情報報告は、不定期的にチャネル状態情報を報告するモード設定（CSI reporting mode）のために用いることができる。基地局装置１は、前記定期的なチャネル状態情報報告又は前記不定期的なチャネル状態情報報告のいずれかを設定することができる。また、基地局装置１は、前記定期的なチャネル状態情報報告及び前記不定期的なチャネル状態情報報告の両方を設定することもできる。
【００５７】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５８】
また、前記上りリンクに対するＤＣＩフォーマットにおいて、前記定期的なチャネル状態情報報告又は前記不定期的なチャネル状態情報報告と前記チャネル状態情報報告の種類を含めたモード設定のために用いることができる。例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩを報告するモード、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。
【００５９】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００６０】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００６１】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６２】
また、ＰＤＳＣＨは、ＲＲＣメッセージを送信するために用いられる。ここで、基地局装置１から送信されるＲＲＣメッセージは、セル内における複数の端末装置２に対して共通であっても良い。また、基地局装置１から送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００６３】
ここで、ＲＲＣメッセージおよび／またはＭＡＣ  ＣＥを、上位層の信号（higher layer signaling）とも称する。
【００６４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６５】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００６６】
ここで、下りリンク参照信号には、ＣＲＳ（Cell-specific Reference Signal）、ＰＤＳＣＨに関連するＵＥＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６９】
ＮＺＰ  ＣＳＩ−ＲＳのリソースは、基地局装置１によって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１によって設定される。基地局装置１は、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００７０】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７１】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００７２】
本実施形態における基地局装置は、ＯＦＤＭシンボル等の送信シンボルを、２つの要素シンボルに分割することができる。分割された２つの要素シンボルのうち、片方を第１の要素シンボル、他方を第２の要素シンボルと呼称する。２つの要素シンボルは定振幅とすることができる。図２は、ＯＦＤＭシンボルのあるサンプル点を２つの要素サンプルに分割する例を示すＩＱ平面図である。なお、要素シンボルは少なくとも１つの要素サンプルから構成される。２０は、ＯＦＤＭのあるサンプルを示す。２１は第１の要素サンプルを示す。第１の要素サンプルは、第１の要素シンボルを構成するサンプルである。２２は第２の要素サンプルを示す。第２の要素サンプルは、第２の要素シンボルを構成するサンプルである。２１と２２を加算すると２０となる。第１の要素サンプルと第２の要素サンプルの振幅は、事前に定められた定振幅値とすることができる。２３は、この定振幅値を半径とする円を示す。ＯＦＤＭシンボルを構成する他のサンプルも２１と２２と同一の定振幅値を持つ要素サンプルを用いて分割することができる。このようにすることで、２つの要素シンボルを定振幅とすることができ、消費電力を低くすることができる。ＯＦＤＭシンボルのあるサンプルの振幅が定振幅値の２倍より大きい場合、そのサンプルの振幅を定振幅値の２倍としてから第１の要素サンプルと第２の要素サンプルへ分割することができる。なお、基地局装置は、送信シンボルの分割数を３つ以上としてもよい。すなわち、基地局装置は、送信シンボルを複数の要素シンボルに分割することができる。
【００７３】
基地局装置１は、第１の要素シンボルと第２の要素シンボルを、異なる時間タイミングで端末装置２に送信することができる。端末装置２は該当する時間タイミングの受信信号を加算することで、伝搬路の影響を受けたＯＦＤＭシンボルを再生することができる。従って、端末装置２は再生されたＯＦＤＭシンボルを復調することができる。または、端末装置２は、この加算を周波数領域で行うことで、ＯＦＤＭシンボルの周波数方向の構成要素（変調シンボル）であるサブキャリアシンボルであって、伝搬路の影響を受けたものを再生することができる。または、端末装置２は、該当する時間タイミングのサブキャリアシンボルに伝搬路補償を行うことで、第１の要素シンボルと第２の要素シンボルのサブキャリアの成分を再生することができる。端末装置２は、再生した第１の要素シンボルと第２の要素シンボルのサブキャリアの成分を加算することで、サブキャリアシンボルを再生することができる。
【００７４】
基地局装置１は、第１の要素シンボルと第２の要素シンボルを、異なるアンテナから送信し、端末装置２の受信アンテナで受信されるときに加算されるようにすることができる。端末装置２は、受信信号を周波数領域に変換し、伝搬路補償を行うことでサブキャリアシンボルを再生することができる。または、端末装置２は複数の受信アンテナを備え、各アンテナの受信信号に伝搬路補償を行い、第１の要素シンボルと第２の要素シンボルのサブキャリアの成分を再生することができる。端末装置２は、再生した第１の要素シンボルと第２の要素シンボルのサブキャリアの成分を加算することで、サブキャリアシンボルを再生することができる。
【００７５】
基地局装置１は、第１の要素シンボルと第２の要素シンボルを、異なる周波数を用いて送信することができる。第１の要素シンボルと第２の要素シンボルを送信する送信アンテナを別にすることで、各要素シンボルの定振幅を維持することができる。端末装置２は、該当する周波数帯の受信信号に周波数領域で伝搬路補償を行い、再生される各要素シンボルを加算することで、サブキャリアシンボルを再生することができる。
【００７６】
基地局装置１は、第１の要素シンボルと第２の要素シンボルをマッピングしたリソースを示す情報を端末装置２に通知することができる。例えば、ＰＤＣＣＨ等の制御信号が、第１の要素シンボルと第２の要素シンボルをマッピングしたリソースを示す情報を含むことができる。
【００７７】
なお、上記説明において、基地局装置１は、ＯＦＤＭシンボルを第１の要素シンボルと第２の要素シンボルに分割する場合について説明したが、ＯＦＤＭでなくともよい。例えば、ＳＣ−ＦＤＭＡ（シングルキャリア周波数分割多元接続；Single Carrier Frequency Division Multiple Access）、ＣＤＭＡ（符号分割多元接続；Code Division Multiple Access）等のシンボルを分割してもよい。
【００７８】
なお、上記説明において、基地局装置１は、ＯＦＤＭシンボルを第１の要素シンボルと第２の要素シンボルに分割する場合について説明したが、２つより多くの要素シンボルに分割してもよい。
【００７９】
なお、上記説明において、基地局装置１が端末装置２に、分割された要素シンボルを送信するダウンリンクの場合について説明したが、逆でも良い。すなわち、端末装置２が、ＳＣ−ＦＤＭＡ等の送信シンボルを２つの要素シンボルに分割し、第１の要素シンボルと第２の要素シンボルを基地局装置１に送信するアップリンクであってもよい。その場合、基地局装置１が上述した受信処理を行う。
【００８０】
アップリンクの場合、端末装置２は、第１の要素シンボルと第２の要素シンボルをマッピングしたリソースを示す情報を基地局装置１に通知することができる。例えば、ＰＵＣＣＨ等の制御信号が、第１の要素シンボルと第２の要素シンボルをマッピングしたリソースを示す情報を含むことができる。
【００８１】
図３は、本実施形態における基地局装置の構成を示す概略ブロック図である。図３に示すように、基地局装置は、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、および、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００８２】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００８３】
上位層処理部１０１は、端末装置の機能（UE capability）等、端末装置に関する情報を端末装置から受信する。言い換えると、端末装置は、自身の機能を基地局装置に上位層の信号で送信する。
【００８４】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。例えば、その端末装置が所定の機能をサポートする場合、その端末装置が所定の機能をサポートするかどうかを示す情報、または、その端末装置が所定の機能に対する導入およびテストの完了を示す情報を送信する。その端末装置が所定の機能をサポートしない場合、その端末装置が所定の機能をサポートするかどうかを示す情報、または、その端末装置が所定の機能に対する導入およびテストの完了を示す情報を送信しない。すなわち、その端末装置が所定の機能をサポートするかどうかを示す情報、または、その端末装置が所定の機能に対する導入およびテストの完了を示す情報を送信するかどうかが、その端末装置が所定の機能をサポートするかどうかを示す。
【００８５】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００８６】
端末装置の機能には、２つに分割された要素シンボルの通信を行う通信モードである、定振幅モードをサポートしているかどうかを示すパラメータを含めることができる。なお、所定のリリースにおける端末装置で、定振幅モードのサポートが必須（Mandatory）とすることもできる。定振幅モードは、ダウンリンクとアップリンクのそれぞれで設定することができる。
【００８７】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成し、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。
【００８８】
基地局装置は、定振幅モードで送信したかどうかを示す情報を上位層の信号で送信する。定振幅モードでの通信は、ＰＣｅｌｌ（プライマリセル；Primary Cell）、ＳＣｅｌｌ（セカンダリセル；Secondary Cell）の全てのセルで設定可能であってもよいし、ＰＣｅｌｌのみに設定可能であっても良いし、ＳＣｅｌｌのみに設定可能であっても良い。
【００８９】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００９０】
なお、基地局装置は、第２のフレーム構造を用いる場合、ＵＥの割当ては、リソースブロック毎、及び／又は、リソースブロックセット毎、及び／又は、サブフレーム毎、及び／又は、サブフレームセット毎に行う。
【００９１】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００９２】
制御部１０２は、上位層処理部１０１から入力された情報に基づいて、送信部１０３および受信部１０４の制御を行なう制御信号を生成する。また、制御部１０２は、上位層処理部１０１から入力された情報に基づいて、ＭＣＳを決定する。また、制御部１０２は、上位層処理部１０１から入力された情報に基づいて、コードワード数を決定する。また、制御部１０２は、上位層処理部１０１から入力された情報に基づいて、レイヤ数、アンテナポート番号、スクランブリングアイデンティティ（スクランブリング識別子、scrambling identity）を決定する。
【００９３】
制御部１０２は、上位層処理部１０１から入力された情報に基づいて、下りリンク制御情報を生成し、送信部１０３に出力する。基地局装置がプライマリセルである場合は、セカンダリセルの上位層の設定情報を下りリンク制御情報に含めても良い。
【００９４】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００９５】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００９６】
下りリンク参照信号生成部１０３３は、基地局装置１を識別するための物理セル識別子（ＰＣＩ）などを基に予め定められた規則で求まる、端末装置２が既知の系列を下りリンク参照信号として生成する。また、下りリンク参照信号生成部１０３３は、スクランブリングアイデンティティに基づいてＤＭＲＳを生成することができる。
【００９７】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００９８】
無線送信部１０３５は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにサイクリックプリフィックス（Cyclic Prefix: CP）を付加し、ベースバンドのディジタル信号を生成する。無線送信部１０３５は、フィルタリング、ＤＡ（Digital-to-Analog）変換、周波数変換、電力増幅等を用いることで、生成したベースバンドのディジタル信号を所望帯域のアナログ信号に変換する。無線送信部１０３５は、生成したアナログ信号を送受信アンテナ１０５に出力して送信する。
【００９９】
上位層処理部１０１で、定振幅モードがダウンリンクにおいて設定されている場合、無線送信部１０３５は、生成されたＯＦＤＭシンボルを２つの要素シンボルに分割する。無線送信部１０３５は、２つの要素シンボルをあらかじめスケジューリングされたリソースにマッピングする。
【０１００】
受信部１０４は、制御部１０２から入力された制御信号に従って、送受信アンテナ１０５を介して端末装置２から受信した受信信号を分離、復調、復号し、復号した情報を上位層処理部１０１に出力する。
【０１０１】
無線受信部１０４１は、周波数変換、フィルタリング、ＡＤ（Analog-to-Digital）変換、振幅制御等を用いることで、送受信アンテナ１０５を介して受信された上りリンクの信号をベースバンドのディジタル信号に変換する。
【０１０２】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１０３】
多重分離部１０４２は、無線受信部１０４１から入力された信号をＰＵＣＣＨ、ＰＵＳＣＨ、上りリンク参照信号などの信号に分離する。なお、この分離は、予め基地局装置１が無線リソース制御部１０１１で決定し、各端末装置２に通知した上りリンクグラントに含まれる無線リソースの割り当て情報に基づいて行なわれる。
【０１０４】
また、多重分離部１０４２は、ＰＵＣＣＨとＰＵＳＣＨの伝搬路の補償を行なう。また、多重分離部１０４２は、上りリンク参照信号を分離する。
【０１０５】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。なお、逆離散フーリエ変換は、ＰＵＳＣＨのサブキャリア数に応じた逆高速フーリエ変換であってもよい。
【０１０６】
上位層処理部１０１で、定振幅モードがアップリンクにおいて設定されている場合、復調部１０４３は、２つのリソースで受信される伝搬路の影響を受けた第１の要素シンボルと第２の要素シンボルから、元のシンボルを再生する。復調部１０４３は、再生されたシンボルに対し、変調方式を用いて復調を行なう。２つの要素シンボルがマッピングされているのが異なる時間リソースの場合、無線受信部１０４１が、２つのリソースの受信信号を結合することで、元のシンボルを再生するようにしてもよい。
【０１０７】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１０８】
図４は、定振幅モードがダウンリンクにおいて設定されており、無線送信部１０３５が分割した２つの要素シンボルを、異なる時間リソースにマッピングする場合の、無線送信部１０３５の構成を示す概略ブロック図である。この図において、無線送信部１０３５は、ＯＦＤＭシンボル生成部１０３５−１、シンボル分割部１０３５−２、送信前処理部１０３５−３を含んで構成される。ＯＦＤＭシンボル生成部は、多重された変調シンボルなどを逆高速フーリエ変換して、ＯＦＤＭ方式の変調を行い、ＯＦＤＭ変調されたＯＦＤＭシンボルにサイクリックプリフィックスを付加し、ベースバンドのディジタル信号を生成する。シンボル分割部１０３５−２は、生成されたＯＦＤＭを２つの要素シンボルに分割する。シンボル分割部１０３５−２は、分割された要素シンボルを異なる時間リソースにマッピングする。送信前処理部１０３５−３は、フィルタリング、ＤＡ変換、周波数変換、電力増幅等を用いることで、異なる時間リソースにマッピングされた要素シンボルを所望帯域のアナログ信号に変換する。
【０１０９】
図５は、定振幅モードがアップリンクにおいて設定されており、無線受信部１０４１が、異なる時間リソースにマッピングされた２つの要素シンボルを結合する場合の、無線受信部１０４１の構成を示す概略ブロック図である。この図において、無線受信部１０４１は、受信後処理部１０４１−１、シンボル結合部１０４１−２、時間周波数変換部１０４１−３を含んで構成される。受信後処理部１０４１−１は、周波数変換、フィルタリング、ＡＤ変換、振幅制御等を用いることで、送受信アンテナ１０５を介して受信された上りリンクの信号をベースバンドのディジタル信号に変換する。受信後処理部１０４１−１は、変換したディジタル信号からＣＰに相当する部分を除去する。シンボル結合部１０４１−２は、異なる時間リソースの受信信号を結合し、伝搬路の影響を受けたＳＣ−ＦＤＭＡシンボルを再生する。時間周波数変換部１０４１−３は、再生されたＳＣ−ＦＤＭＡシンボルに高速フーリエ変換を行い、周波数領域の信号を抽出し、多重分離部１０４２に出力する。
【０１１０】
図６は、本実施形態における端末装置の構成を示す概略ブロック図である。図６に示すように、端末装置は、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、およびスケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１１１】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１２】
上位層処理部２０１は、自端末装置がサポートしている端末装置の機能を示す情報を、送信部２０３に出力する。
【０１１３】
無線リソース制御部２０１１は、自端末装置の各種設定情報の管理をする。また、無線リソース制御部２０１１は、上りリンクの各チャネルに配置される情報を生成し、送信部２０３に出力する。
【０１１４】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１１５】
制御部２０２は、上位層処理部２０１から入力された情報に基づいて、受信部２０４、および送信部２０３の制御を行なう制御信号を生成する。制御部２０２は、生成した制御信号を受信部２０４、および送信部２０３に出力して受信部２０４、および送信部２０３の制御を行なう。制御部２０２は、端末情報等を含む上りリンク制御情報および上りリンクデータを送信部２０３に出力する。ここで、端末情報は端末装置が高周波数帯の信号を復調する機能を有するか否かを示す情報を含む。
【０１１６】
制御部２０２は、チャネル状態情報生成部２０５が生成したＣＳＩを基地局装置に送信するように送信部２０３を制御する。
【０１１７】
受信部２０４は、制御部２０２から入力された制御信号に従って、送受信アンテナ２０６を介して基地局装置から受信した受信信号を、分離、復調、復号し、復号した情報を上位層処理部２０１に出力する。受信部２０４は、制御部２０２から入力された制御信号に従って、第１のフレーム構造または第２のフレーム構造に対応する復調を行う。
【０１１８】
無線受信部２０４１は、周波数変換、フィルタリング、ＡＤ変換、振幅制御等を用いることで、送受信アンテナ２０６を介して受信された下りリンクの信号をベースバンドのディジタル信号に変換する。
【０１１９】
また、無線受信部２０４１は、変換したディジタル信号からＣＰに相当する部分を除去し、ＣＰを除去した信号に対して高速フーリエ変換を行い、周波数領域の信号を抽出する。
【０１２０】
また、定振幅モードがダウンリンクにおいて設定されており、分割された要素シンボルが異なる時間タイミングにマッピングされる場合、無線受信部２０４１は、２つの要素シンボルに該当する時間マッピングにおける受信信号を加算して、伝搬路の影響を受けたＯＦＤＭシンボルを再生することができる。
【０１２１】
多重分離部２０４２は、抽出した信号をＰＨＩＣＨ、ＰＤＣＣＨ、ＥＰＤＣＣＨ、ＰＤＳＣＨ、および／または下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。なお、チャネル推定は制御部２０２から入力される自端末装置宛のレイヤ数、アンテナポート番号、スクランブリングアイデンティティに基づいて行う。
【０１２２】
信号検出部２０４３は、ＰＤＳＣＨ、およびチャネル推定値を用いて、下りリンクデータ（トランスポートブロック）を検出し、上位層処理部２０１に出力する。
【０１２３】
上位層処理部２０１で、定振幅モードがダウンリンクにおいて設定されている場合、信号検出部２０４３は、２つの要素シンボルがマッピングされたリソースの受信信号を加算して、伝搬路の影響を受けたサブキャリアシンボルを再生することができる。または、信号検出部２０４３は、２つの要素シンボルがマッピングされたリソースの受信信号に伝搬路補償を行い、２つの要素シンボルを再生することができる。信号検出部２０４３は、再生された２つの要素シンボルを加算し、サブキャリアシンボルを再生することができる。
【０１２４】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置に送信する。
【０１２５】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１２６】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２７】
上りリンク参照信号生成部２０３３は、基地局装置１を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１２８】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。なお、離散フーリエ変換はＰＵＣＣＨやＰＵＳＣＨのサブキャリア数に応じた高速フーリエ変換でもよい。
【０１２９】
無線送信部２０３５は、多重された信号を逆高速フーリエ変換して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成する。無線送信部２０３５は、フィルタリング、ＤＡ変換、周波数変換、電力増幅等を用いることで、生成したベースバンドのディジタル信号を所望帯域のアナログ信号に変換する。無線送信部２０３５は、生成したアナログ信号を送受信アンテナ２０６に出力して送信する。
【０１３０】
上位層処理部２０１で、定振幅モードがアップリンクにおいて設定されている場合、無線送信部２０３５は、生成されたＳＣ−ＦＤＭＡシンボルを２つの要素シンボルに分割する。無線送信部２０３５は、２つの要素シンボルをあらかじめスケジューリングされたリソースにマッピングする。
【０１３１】
図７は、定振幅モードがダウンリンクにおいて設定されており、無線受信部２０４１が、異なる時間リソースにマッピングされた２つの要素シンボルを結合する場合の、無線受信部２０４１の構成を示す概略ブロック図である。この図において、無線受信部２０４１は、受信後処理部２０４１−１、シンボル結合部２０４１−２、時間周波数変換２０４１−３を含んで構成される。受信後処理部２０４１−１は、周波数変換、フィルタリング、ＡＤ変換、振幅制御等を用いることで、送受信アンテナ２０６を介して受信された下りリンクの信号をベースバンドのディジタル信号に変換する。受信後処理部２０４１−１は、変換したディジタル信号からＣＰに相当する部分を除去する。シンボル結合部２０４１−２は、異なる時間リソースの受信信号を結合し、伝搬路の影響を受けたＯＦＤＭシンボルを再生する。時間周波数変換部２０４１−３は、再生されたＯＦＤＭシンボルに高速フーリエ変換を行い、周波数領域の信号を抽出し、多重分離部２０４２に出力する。
【０１３２】
図８は、定振幅モードがアップリンクにおいて設定されており、無線送信部２０３５が分割した２つの要素シンボルを、異なる時間リソースにマッピングする場合の、無線送信部２０３５の構成を示す概略ブロック図である。この図において、無線送信部２０３５は、ＳＣ−ＦＤＭＡシンボル生成部２０３５−１、シンボル分割部２０３５−２、送信前処理部２０３５−３を含んで構成される。ＳＣ−ＦＤＭＡシンボル生成部２０３５−１は、多重された信号を逆高速フーリエ変換して、ＳＣ−ＦＤＭＡ方式の変調を行い、ＳＣ−ＦＤＭＡ変調されたＳＣ−ＦＤＭＡシンボルにサイクリックプリフィックスを付加し、ベースバンドのディジタル信号を生成する。シンボル分割部２０３５−２は、生成されたＳＣ−ＦＤＭＡを２つの要素シンボルに分割する。シンボル分割部２０３５−２は、分割された要素シンボルを異なる時間リソースにマッピングする。送信前処理部２０３５−３は、フィルタリング、ＤＡ変換、周波数変換、電力増幅等を用いることで、異なる時間リソースにマッピングされた要素シンボルを所望帯域のアナログ信号に変換する。
【０１３３】
上述のような処理を行うことによって、低消費電力の通信を行うことができる。
【０１３４】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１３５】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１３６】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１３７】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１３８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１３９】
本発明は、端末装置、基地局装置および通信方法に用いて好適である。
【符号の説明】
【０１４０】
１  基地局装置
２  端末装置
１−１  カバレッジ
２０  ＯＦＤＭシンボルのあるサンプル点
２１  第１の要素サンプル
２２  第２の要素サンプル
２３  事前に定められた定振幅値を半径とする円
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
１０３５−１  ＯＦＤＭシンボル生成部
１０３５−２  シンボル分割部
１０３５−３  送信前処理部
１０４１−１  受信後処理部
１０４１−２  シンボル結合部
１０４１−３  時間周波数変換部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
２０４１−１  受信後処理部
２０４１−２  シンボル結合部
２０４１−３  時間周波数変換部
２０３５−１  ＳＣ−ＦＤＭＡシンボル生成部
２０３５−２  シンボル分割部
２０３５−３  送信前処理部
【図１】
2018101819.tif 000003
【図２】
2018101819.tif 000004
【図３】
2018101819.tif 000005
【図４】
2018101819.tif 000006
【図５】
2018101819.tif 000007
【図６】
2018101819.tif 000008
【図７】
2018101819.tif 000009
【図８】
2018101819.tif 000010